(57)【特許請求の範囲】
【請求項１】
Ｘ線に感光するフィルムを収容するカセッテと、前記カセッテを挿脱可能に収容する装置本体と、を有し、前記装置本体には、前記カセッテを、前記装置本体へ挿入し、または、前記装置本体から引き出すために、前記カセッテを移動させるカセッテ移動手段として、前記カセッテを装置本体に挿脱方向に沿って移動させるスライドレールと、前記カセッテ移動手段による前記カセッテの挿脱方向を切り替え可能とする方向切替手段と、が備えられる撮影装置にあって、前記スライドレールは、前記方向切替手段の動作に応じて選択的に前記カセッテに対して連結される第１スライドレールと、前記カセッテと一体となって移動する第２スライドレールと、からなることを特徴とする撮影装置。
【請求項２】
前記第１スライドレールと前記カセッテが互いに連結するように連結手段を付勢する付勢手段と、前記方向切替手段の動作に応じて前記付勢手段による付勢を解除して前記第１スライドレールと前記カセッテとの連結を解除する付勢解除手段と、を備え、前記付勢解除手段により前記付勢手段による付勢が解除されているとき、前記カセッテは前記第２スライドレールとともに移動し、前記付勢手段により前記連結手段が付勢されているとき、前記カセッテは、前記第１スライドレール及び前記第２スライドレールとともに移動する請求項１に記載の撮影装置。
【請求項３】
前記付勢解除手段は、前記方向切替手段の動作に応じて揺動することにより前記付勢手段による付勢を解除する揺動部材である請求項２に記載の撮影装置。
【請求項４】
前記第１スライドレールは、第１支持レールと、前記第１支持レールに対して相対移動可能な第１移動レールと、を備え、前記第２スライドレールは、第２支持レールと、前記第２支持レールに対して相対移動可能な第２移動レールと、を備え、前記第１移動レールは、レール連結部材を介して前記第２支持レールに連結されており、前記付勢解除手段により前記付勢手段による付勢が解除されているとき、前記カセッテは前記第２移動レールとともに移動し、前記付勢手段により前記連結手段が付勢されているとき、前記カセッテは、前記第１移動レール、前記第２支持レール、及び前記第２移動レールとともに移動する請求項１から請求項３のいずれか１項に記載の撮影装置。  
【請求項５】
前記連結手段は、付勢されたときに、前記第１スライドレールと前記カセッテを貫通するピンである請求項２から請求項４のいずれか１項に記載の撮影装置。
【請求項６】
前記方向切替手段は、前記装置本体に対して相対移動するスライドスイッチであって、前記スライドスイッチの切替位置に応じて、前記スライドレールによる前記カセッテの移動方向を規制する請求項１から請求項５のいずれか１項に記載の撮影装置。
【請求項７】
前記付勢手段は、前記第１スライドレール及び前記カセッテを貫通するように前記ピンを付勢する圧縮ばねである請求項２から請求項６のいずれか１項に記載の撮影装置。
【発明の詳細な説明】
【技術分野】
【０００１】
本発明は、Ｘ線を用いて人体の内部を撮影する撮影装置に関する。
【背景技術】
【０００２】
病院その他において人体の内部を撮影するために用いられている従来の撮影装置としては、図１６に示すものがある。この撮影装置１１０においては、鉛直方向に延びる基台１１１によって、装置本体１２０が上下移動可能に支持されている。この装置本体１２０には、Ｘ線に感光するフィルム１４０を収容するカセッテ１３０が挿脱可能である。撮影装置１１０では、まず、フィルム１４０を収容した状態のカセッテ１３０を装置本体１２０に装着した後に、装置本体１２０に向かって立った人体の背後からＸ線を照射することによって撮影を行う。
【特許文献１】特開２００５−１４８３９８号公報
【発明の開示】
【発明が解決しようとする課題】
【０００３】
しかしながら、上述の撮影装置１１０においては、装置本体１２０内へカセッテ１３０を挿入するためのスリット１２１が、正面視略長方形の装置本体１２０の一側面１２２に設けられているのみであるため、撮影装置１１０の設置場所に制約が生じていた。すなわち、カセッテ１３０の挿脱ができる程度にスリット１２１の周辺を空けるように撮影装置１１０を配置しなければならなかった。また、スリット１２１の周辺を空けることができない場合には、撮影終了のたびに撮影装置１１０全体を動かしてスリット１２１からカセッテ１３０を取り出すための空間を作らなければならないため、作業効率が著しく低くなっていた。
【０００４】
これに対して、撮影装置１１０の購入者の希望に応じて、スリット１２１の位置を変更した撮影装置１１０を供給することも提案されている。しかしながら、購入のたびにスリット１２１の位置を変更していたのでは生産効率が低くなり、コストの増加につながりかねない。さらに、撮影装置１１０の設置場所のレイアウトの変更その他の事情により、当初設定したスリット１２１の位置ではカセッテ１３０を挿脱することが困難になってしまう場合がある。
【０００５】
そこで本発明は、装置本体に対して二方向にカセッテを挿脱することができるとともに、挿脱方向を選択可能とした撮影装置を提供することを目的とする。
【課題を解決するための手段】
【０００６】
上記課題を解決するために、本発明の撮影装置は、Ｘ線に感光するフィルムを収容するカセッテと、カセッテを挿脱可能に収容する装置本体と、を有し、装置本体が、カセッテを、装置本体へ挿入し、または、装置本体から引き出すためにカセッテを移動させるカセッテ移動手段と、カセッテ移動手段によるカセッテの挿脱方向を切り替え可能とする方向切替手段と、を備えることを特徴としている。
【０００７】
本発明の撮影装置において、カセッテ移動手段は、カセッテの挿脱方向に沿ってカセッテを移動させるスライドレールであり、該スライドレールは、方向切替手段の動作に応じて選択的にカセッテに対して連結される第１スライドレールと、カセッテと一体となって移動する第２スライドレールと、を備えるものとされる。
【０００８】
本発明の撮影装置において、第１スライドレールとカセッテが互いに連結するように連結手段を付勢する付勢手段と、方向切替手段の動作に応じて付勢手段による付勢を解除して第１スライドレールとカセッテとの連結を解除する付勢解除手段と、を備え、付勢解除手段により付勢手段による付勢が解除されているとき、カセッテは第２スライドレールとともに移動し、付勢手段により連結手段が付勢されているとき、カセッテは、第１スライドレール及び第２スライドレールとともに移動することができる。
【０００９】
本発明の撮影装置において、付勢解除手段は、方向切替手段の動作に応じて揺動することにより付勢手段による付勢を解除する揺動部材であることが好ましい。
【００１０】
本発明の撮影装置において、第１スライドレールは、第１支持レールと、第１支持レールに対して相対移動可能な第１移動レールと、を備え、第２スライドレールは、第２支持レールと、第２支持レールに対して相対移動可能な第２移動レールと、を備え、第１移動レールは、レール連結部材を介して第２支持レールに連結されており、付勢解除手段により付勢手段による付勢が解除されているとき、カセッテは第２移動レールとともに移動し、付勢手段により連結手段が付勢されているとき、カセッテは、第１移動レール、第２支持レール、及び第２移動レールとともに移動することが好ましい。
【００１１】
本発明の撮影装置において、連結手段は、付勢されたときに、第１スライドレールとカセッテを貫通するピンであるとよい。
【００１２】
本発明の撮影装置において、方向切替手段は、装置本体に対して相対移動するスライドスイッチであって、スライドスイッチの切替位置に応じて、スライドレールによるカセッテの移動方向を規制することができる。
【００１３】
本発明の撮影装置において、付勢手段は、第１スライドレール及びカセッテを貫通するようにピンを付勢する圧縮ばねであることが好ましい。
【発明の効果】
【００１４】
本発明によると、撮影装置の装置本体に、カセッテを装置本体へ挿脱するためにカセッテを移動させるカセッテ移動手段と、カセッテ移動手段によるカセッテの挿脱方向を切り替え可能とする方向切替手段と、を備えたため、装置本体に対して二方向にカセッテを挿脱することができるとともに、挿脱方向を選択することができる。
【発明を実施するための最良の形態】
【００１５】
以下、本発明の実施形態に係る撮影装置、及び、この撮影装置に用いる撮影装置用引き出し機構について図面を参照しつつ詳しく説明する。
【００１６】
本実施形態にかかる撮影装置１０は、Ｘ線に感光するフィルム４０を収容するカセッテ３０と、カセッテ３０を挿脱可能に収容する装置本体２０と、を備える。さらに、装置本体２０は、カセッテ３０を、装置本体２０へ挿入し、または、装置本体２０から引き出すためにカセッテ３０を移動させるカセッテ移動手段としての、第１スライドレール５０及び第２スライドレール６０と、第１スライドレール５０又は／及び第２スライドレール６０によるカセッテ３０の挿脱方向を切り替え可能とするスライドスイッチ（方向切替手段）７０と、を備える。
【００１７】
また、引き出し機構２５（撮影装置用引き出し機構）は、第１スライドレール５０及び第２スライドレール６０と、スライドスイッチ７０と、を備える。
以下に、各部材の詳細な構成について説明する。なお、以下の説明では、カセッテ３０に収容するフィルム４０はＸ線に感光するタイプとしているが、本発明はこれ以外のタイプのフィルムに対しても適用可能である。
【００１８】
図１は、本実施形態に係る撮影装置１０の構成を示す斜視図である。図１に示すように、装置本体２０は、床面に配置される基台１１から鉛直方向に延びるように設けられた支持軸１２によって鉛直方向に移動可能に保持されている。装置本体２０の背面の両側部には、Ｘ線撮影時に撮影対象者が把持する把持部２２が設けられている。
【００１９】
図２は、装置本体２０の右側スリット２３から引き出されたカセッテ３０へのフィルム４０の装着過程を示す斜視図であり、図３は、装置本体２０の左側スリット２４から引き出されたカセッテ３０へのフィルム４０の装着過程を示す斜視図である。図２又は図３に示すように、装置本体２０の両側辺にはカセッテ３０を挿脱するために、右側スリット２３及び左側スリット２４がそれぞれ形成されている。したがって、カセッテ３０は、装置本体２０の左右両側から挿入、離脱することができる。
【００２０】
カセッテ３０には、背面に取り付けたばね（不図示）によって上向きに付勢されたフィルム保持板３１が取り付けられている。また、平面視略長方形のカセッテ３０の上辺は、フィルム保持板３１側へ折り返されており、これによりフィルム突き当て部３２が形成されている。フィルム４０は、フィルム保持板３１に与えられた付勢力により、フィルム保持板３１とフィルム突き当て部３２との間で挟持される。フィルム保持板３１の上辺は、種々のサイズのフィルム４０に対応できるように階段状の段部３１ａとなっている。
【００２１】
図４は、装置本体２０内におけるカセッテ３０の保持状態を示す斜視図である。なお、図４においては、フィルム保持板３１の図示を省略している。図４に示すように、カセッテ３０は、装置本体２０の背面板２１に設けられた引き出し機構２５、及びローラ群２８によって、左右方向に移動可能に保持されている。
【００２２】
図５は、スライドスイッチ７０が押し下げられたときの揺動部材及び引き出し機構２５の状態を示す斜視図である。図６は、スライドスイッチ７０が押し下げられた後に第２スライドレール６０がカセッテ３０とともに左側に移動した状態を示す斜視図である。図７は、スライドスイッチ７０が押し上げられたときの揺動部材及び引き出し機構２５の状態を示す斜視図である。図８は、スライドスイッチ７０が押し上げられた後に第１スライドレール５０、第２スライドレール６０、及びカセッテ３０が一体となって右側に移動した状態を示す斜視図である。なお、図５〜図８において、説明の便宜のため、カセッテ３０は一部のみを示している。
【００２３】
図５〜図８に示すように、引き出し機構２５は、互いに平行に配置された第１スライドレール５０と第２スライドレール６０を備える。
第１スライドレール５０は、カセッテ３０の挿脱方向に延びるように装置本体２０の背面板２１に固定された第１支持レール５１と、第１支持レール５１の長手方向に沿って第１支持レール５１に対して相対移動可能な第１移動レール５２と、を備える。第２スライドレール６０は、レール連結部材２６により第１移動レール５２に連結されるとともに、カセッテ３０の挿脱方向に延びる第２支持レール６１と、第２支持レール６１の長手方向に沿って第２支持レール６１に対して相対移動可能な第２移動レール６２と、を備える。
【００２４】
図９は、装置本体２０の背面板２１の構成を示す斜視図である。図１０は、スライドスイッチ７０を上にスライドさせたときの揺動部材の回動方向を示す斜視図である。図１１は、スライドスイッチ７０を下にスライドさせたときの揺動部材の回動方向を示す斜視図である。図９に示すように、背面板２１には、上下方向にスライド可能なスライドスイッチ７０が設けられている。このスライドスイッチ７０には装置本体２０の前面側へ延びる軸部７１が設けられている。図１０及び図１１に示すように、スライドスイッチ７０の軸部７１は、背面板２１に固定した軸部８１を支点として揺動可能な揺動部材８０の係合端部８２に係合している。図１０に示すように、スライドスイッチ７０を上方向にスライドすると、軸部７１とともに係合端部８２が上方へ回動し、これにともなって揺動部材の他方の端部である爪部８３が下方へ回動する。これに対して、スライドスイッチ７０を下方向にスライドすると、軸部７１とともに係合端部８２が下方へ回動し、これにともなって爪部８３が上方へ回動する（図１１）。
【００２５】
カセッテ３０は、第２スライドレール６０の第２移動レール６２に固定されている一方、第１スライドレール５０の第１移動レール５２に対しては、スライドスイッチ７０の動作に応じて連結及び非連結の一方が選択される。すなわち、スライドスイッチ７０を下方へスライドしたとき（図５）は、第１移動レール５２とカセッテ３０との連結が解除されて、図６に示すように、カセッテ３０は第２移動レール６２とともに左方向へ移動可能となる。これに対して、スライドスイッチ７０を上方へスライドしたとき（図７）は、第１移動レール５２とカセッテ３０とが連結され、図８に示すように、カセッテ３０は第１移動レール５２及び第２スライドレール６０とともに右方向へ移動可能となる。なお、図５及び図６に示す、スライドスイッチ７０が下方へスライドされた状態においては、第１移動レール５２がスライドスイッチ７０に突き当たることにより、第１移動レール５２の右方向への移動を規制している。一方、図７及び図８に示す、スライドスイッチ７０が上方へスライドされた状態においては、スライドスイッチ７０が第１移動レール５２の移動方向から外れた位置にくるため、第１移動レール５２は右方向へ移動可能となる。
【００２６】
つづいて、スライドスイッチ７０のスライド方向によって第１移動レール５２とカセッテ３０とを連結状態又は非連結状態とする構成について詳細に説明する。ここで、図１２（ａ）は、スライドスイッチ７０のスライドにより揺動部材（付勢解除手段）の爪部８３が上がったときの連結付勢部材９２とレール連結部材２６及びカセッテ３０との関係を示す左側から見た一部断面図、図１２（ｂ）は、図１２（ａ）の平面図である。図１３（ａ）は、スライドスイッチ７０のスライドにより揺動部材の爪部８３が下がったときの連結付勢部材９２とレール連結部材２６及びカセッテ３０との関係を示す左側から見た一部断面図、図１３（ｂ）は、図１３（ａ）の平面図である。図１４は、図５において支持軸９３ａを通る鉛直線であるＸＩＶ−ＸＩＶ線を含み、背面板２１に垂直な面における断面図である。図１５は、図７において支持軸９３ａを通る鉛直線であるＸＶ−ＸＶ線を含み、背面板２１に垂直な面における断面図である。
【００２７】
図１２及び図１３に示すように、レール連結部材２６には、支持部材９３が固定され、この支持部材９３には、鉛直方向に沿って延びるように支持軸９３ａが取り付けられている。支持軸９３ａは、長板状の連結付勢部材９２の略中央を貫通しており、これにより、連結付勢部材９２は支持軸９３ａを中心にして揺動可能である。連結付勢部材９２の長手方向両端部のうち右側端部９２ａには、レール連結部材２６に設けた連結孔部２６ａ、及び、連結孔部２６ａにつらなるようにカセッテ３０に設けられた連結孔部３０ａの方へ突出するピン９１（連結手段）が設けられている。一方、連結付勢部材９２の左側端部９２ｂには、レール連結部材２６との間にばね９５（付勢手段）が配置されている。このばね９５は、レール連結部材２６との間隔を広げるように左側端部９２ｂを付勢する圧縮コイルばねであり、ばね９５の付勢力が働くと連結付勢部材９２は支持軸９３ａを支点として回動し、その結果ピン９１は連結孔部２６ａ及び３０ａ内に挿入される。なお、ピン９１は、円柱状のピン以外の形状とすることもでき、連結孔部２６ａ、３０ａはこの形状に合わせた形状とする。また、ばね９５に代えて、板ばね、トーションバー、ゴムを用いることもできる。
【００２８】
図１２及び図１４に示すように、スライドスイッチ７０の下方へのスライドにより揺動部材（付勢解除手段）の爪部８３が上方へ回動すると、レール連結部材２６側へ曲成された爪部８３の先端部が連結付勢部材９２の左側端部９２ｂの背面に当接する。これにより、ばね９５から左側端部９２ｂへの付勢力が解除されるため、連結付勢部材９２の右側端部９２ａのレール連結部材２６及びカセッテ３０側への回動が規制される。この状態では、ピン９１は、３０ａまで挿入されないため、レール連結部材２６とカセッテ３０はピン９１によって連結されることがない。したがって、カセッテ３０を左方向に移動させようとすると、カセッテ３０と、これに結合した第２移動レール６２と、が左方向に移動する。
【００２９】
これに対して、図１３及び図１５に示すように、スライドスイッチ７０の上方へのスライドにより揺動部材の爪部８３が下方へ回動すると、爪部８３の先端部による左側端部９２ｂの回動規制が解除される。これにより、ばね９５から左側端部９２ｂへ付勢力が働くようになるため、連結付勢部材９２は支持軸９３ａを中心にして回動し、これにより、ピン９１が連結孔部２６ａ及び３０ａ内に挿入されてレール連結部材２６とカセッテ３０が互いに連結される。よって、カセッテ３０を右方向に移動させようとすると、カセッテ３０、カセッテ３０に結合した第２移動レール６２、並びに、レール連結部材２６に結合した第１移動レール５２及び第２支持レール６１、が右方向に移動する。
【００３０】
以上のように構成されたことから、上記実施形態によれば、カセッテ３０を左右の二方向に移動させることができ、これにより、装置本体２０の右側スリット２３及び左側スリット２４のいずれにおいてもカセッテ３０を挿脱することができる。さらに、スライドスイッチ７０を操作して揺動部材を揺動させることにより、第１スライドレール５０及び第２スライドレール６０の両方を、又は、第２スライドレール６０のみをカセッテ３０に連結することができるとともに、連結状態に対応した方向へカセッテ３０を移動させて、装置本体２０から挿脱できる。
【００３１】
本発明について上記実施形態を参照しつつ説明したが、本発明は上記実施形態に限定されるものではなく、改良の目的または本発明の思想の範囲内において改良または変更が可能である。
【産業上の利用可能性】
【００３２】
以上のように、本発明に係る撮影装置及び撮影装置用引き出し機構は、医療その他の場面において、人体その他の対象物の撮影に有用であり、特に、人体内部のＸ線撮影に適している。
【図面の簡単な説明】
【００３３】
【図１】本発明の実施形態に係る撮影装置の構成を示す斜視図である。
【図２】本発明の実施形態に係る装置本体の右側スリットから引き出されたカセッテへのフィルムの装着過程を示す斜視図である。
【図３】本発明の実施形態に係る装置本体の左側スリットから引き出されたカセッテへのフィルムの装着過程を示す斜視図である。
【図４】本発明の実施形態に係る装置本体内におけるカセッテの保持状態を示す斜視図である。
【図５】本発明の実施形態に係るスライドスイッチが押し下げられたときの揺動部材及び引き出し機構の状態を示す斜視図である。
【図６】本発明の実施形態に係るスライドスイッチが押し下げられた後に第２スライドレールがカセッテとともに左側に移動した状態を示す斜視図である。
【図７】本発明の実施形態に係るスライドスイッチが押し上げられたときの揺動部材及び引き出し機構の状態を示す斜視図である。
【図８】本発明の実施形態に係るスライドスイッチが押し上げられた後に第１スライドレール、第２スライドレール、及びカセッテが一体となって右側に移動した状態を示す斜視図である。
【図９】本発明の実施形態に係る装置本体の背面板の構成を示す、図１のＩＸ方向から見た斜視図である。
【図１０】本発明の実施形態に係るスライドスイッチを上にスライドさせたときの揺動部材の回動方向を示す斜視図である。
【図１１】本発明の実施形態に係るスライドスイッチを下にスライドさせたときの揺動部材の回動方向を示す斜視図である。
【図１２】（ａ）は、本発明の実施形態に係るスライドスイッチのスライドにより揺動部材の爪部が上がったときの連結付勢部材とレール連結部材及びカセッテとの関係を示す左側から見た一部断面図であり、（ｂ）は（ａ）の平面図である。
【図１３】（ａ）は、本発明の実施形態に係るスライドスイッチのスライドにより揺動部材の爪部が下がったときの連結付勢部材とレール連結部材及びカセッテとの関係を示す左側から見た一部断面図であり、（ｂ）は（ａ）の平面図である。
【図１４】図５において支持軸を通る鉛直線であるＸＩＶ−ＸＩＶ線を含み、背面板に垂直な面における断面図である。
【図１５】図７において支持軸を通る鉛直線であるＸＶ−ＸＶ線を含み、背面板に垂直な面における断面図である。
【図１６】従来の撮影装置の構成を示す正面図である。
【符号の説明】
【００３４】
１０    撮影装置
２０    装置本体
２１    背面板
２２    把持部
２３    右側スリット
２４    左側スリット
２５    引き出し機構（撮影装置用引き出し機構）
２６    レール連結部材
２６ａ  連結孔部
２８    ローラ群
３０    カセッテ
３０ａ  連結孔部
３１    フィルム保持板
３１ａ  段部
３２    フィルム突き当て部
４０    フィルム
５０    第１スライドレール（カセッテ移動手段）
５１    第１支持レール
５２    第２移動レール
６０    第２スライドレール（カセッテ移動手段）
６１    第１支持レール
６２    第２移動レール
７０    スライドスイッチ（方向切替手段）
８０    揺動部材（付勢解除手段）
８３    爪部
９１    ピン（連結手段）
９２    連結付勢部材
９３    支持部材
９３ａ  支持軸
９５    ばね（付勢手段）
【図１】
0004990043.tif 000002
【図２】
0004990043.tif 000003
【図３】
0004990043.tif 000004
【図４】
0004990043.tif 000005
【図５】
0004990043.tif 000006
【図６】
0004990043.tif 000007
【図７】
0004990043.tif 000008
【図８】
0004990043.tif 000009
【図９】
0004990043.tif 000010
【図１０】
0004990043.tif 000011
【図１１】
0004990043.tif 000012
【図１２】
0004990043.tif 000013
【図１３】
0004990043.tif 000014
【図１４】
0004990043.tif 000015
【図１５】
0004990043.tif 000016
【図１６】
0004990043.tif 000017